(57)【特許請求の範囲】
【請求項１】
芯体に巻回された長尺物からなるロール製品を収納するためのケースであって、
底面板と該底面板から立設される周面板及び端面板からなり、
端面板は基部と扉部からなるとともに、当該基部と扉部の間には当該扉部を外側に開放可能なヒンジ部が設けられており、
周面板に扉部の開放を防ぐための押さえ部が設けられていることを特徴とするロール製品用ケース。
【請求項２】
端面が該端面より大きな保護板により保護されたロール製品を収納するためのケースであって、
底面板と端面板の間、及び底面板と周面板の間が、外開き可能なヒンジ部とされており、
端面板の基部及び周面板のいずれか一方に舌片が設けられると共に、この舌片と他方との間に面接合ファスナーが設けられることにより、不使用時には平板状に展開することができることを特徴とする請求項１に記載のロール製品用ケース。
【請求項３】
基部と扉部の間のヒンジ部はケース内にロール製品が収容される際に芯体が占める位置より下方に設けられていることを特徴とする請求項１又は２に記載のロール製品用ケース。
【請求項４】
押さえ部が対向する周面板の両方に設けられ、扉部の外側で接離可能とされていることを特徴とする請求項１乃至３のいずれかに記載のロール製品用ケース。
【請求項５】
周面板の短辺側端縁に四角柱状の補強材が設けられていることを特徴とする請求項１乃至４のいずれかに記載のロール製品用ケース。
【発明の詳細な説明】
【技術分野】
【０００１】
本発明は、フィルム等の長尺物を芯体に巻回してなるロール製品を輸送、保管するためのロール製品用ケースに関し、更に詳しくは、構造が簡単で、ロール製品を収納し易く、また、支持部材を備えたクレーン等を使用してロール製品を収納する際に、当該ロール製品を支持するための支持部材がケースの端面板（側板）に当接することがなく、従って、ロール製品を効率的に収納可能なロール製品用ケースに関する。
【背景技術】
【０００２】
従来より、プラスチックフィルム、プラスチックシート、紙等の長尺物を保護、輸送、保管する場合には、これらの長尺物を芯体に巻回してロール製品を形成し、長尺物の端面及び周面が汚れたり損傷したりするのを防止するため、該ロール製品の端面の両側に軸受け部材等を装着した上でケースに収納して輸送、保管されていた（特許文献１参照）。
また、大型のロール製品をケースに収容する場合には、例えば、芯体の中にシャフトを挿入し、そのシャフトの両端部付近に支持部材を取り付け、この支持部材をクレーン等と連結してロール製品を吊り上げ、ケースの位置まで移動させ収納していた。
【０００３】
しかしながら、支持部材等を取り付けた状態のロール製品を、当該ロール製品と略等しい大きさで直方体状のケースに収容する際には、支持部材等がケースの端面板（側板）に当接してしまうため、ロール製品をうまくケース内に収容することができない。そのため、ロール製品よりも大き目のケースを用いざるを得ず、その結果、ロール製品とケースとの間に隙間が生じ、収納効率を低下させるばかりでなく、運搬中における振動による荷動きを防止するため、該隙間にクッション材等の詰め物を詰めるといった面倒な作業が必要な場合があった。
【０００４】
別の方法として、底面板と端面板及び周面板の間がヒンジ構造を介して接合されているケースを用い、ロール製品を収容する際には端面板を倒して支持部材と端面板の当接を避けて底面板上にロール製品を載置した後、端面板及び周面板を起こしてケースを組み立てるといった方法が使用されてきた。
【０００５】
しかしながら、底面板と端面板及び周面板の間がヒンジ構造を介して接合されているケースを用いた場合は、端面板を倒す際に周面板も倒れてしまうので、ロール製品を底面板の上に載置した後でケースを組み立てるという煩雑な作業が必要となり、収納作業の効率低下が避けられなかった。
【先行技術文献】
【特許文献】
【０００６】
【特許文献１】特開平７−６９３４１号公報
【発明の概要】
【発明が解決しようとする課題】
【０００７】
本発明はかかる実情に鑑み、上記従来技術の問題点を解消し、ケースの形状を保持したままでロール製品の収納が可能であり、また、シャフトや支持部材等を用いてロール製品をケース内に収容する場合でも支持部材が端面板と当接することがなく、ロール製品の収納の容易なロール製品用ケースを提供することを目的とする。
【課題を解決するための手段】
【０００８】
本発明は上記目的を達成するためになされたもので、本発明の特徴は、芯体に巻回された長尺物からなるロール製品を収納するためのケースであって、底面板と該底面板から立設される周面板及び端面板からなり、端面板は基部と扉部からなるとともに、当該基部と扉部の間には当該扉部を外側に開放可能なヒンジ部が設けられており、周面板に扉部の開放を防ぐための押さえ部が設けられていることを特徴とするロール製品用ケースである。
【０００９】
本発明の他の特徴は、端面が該端面より大きな保護板により保護されたロール製品を収納するためのケースであって、底面板と端面板の間、及び底面板と周面板の間が、外開き可能なヒンジ部とされており、端面板の基部及び周面板のいずれか一方に舌片が設けられると共に、この舌片と他方との間に面接合ファスナーが設けられることにより、不使用時には平板状に展開することができるロール製品用ケースである。
【００１０】
本発明の他の特徴は、基部と扉部の間のヒンジ部はケース内にロール製品が収容される際に芯体が占める位置より下方に設けられているロール製品用ケースである。
【００１２】
本発明の他の特徴は、押さえ部が対向する周面板の両方に設けられ、扉部の外側で接離可能とされているロール製品用ケースである。
【００１３】
本発明の他の特徴は、周面板の短辺側端縁に四角柱状の補強材が設けられているロール製品用ケースである。
【発明の効果】
【００１４】
本発明のロール製品用ケースは、端面板は基部と扉部からなり、基部により周面板は倒れることなく起立しケースの形状を維持するため、ロール製品の収納が容易である。また、当該基部と扉部の間には当該扉部を外側に開放可能なヒンジ部が設けられているので、クレーンを用いてロール製品を収容する際には、扉部を外側に開いて開放すれば、支持部材等は端面板に当接することがないので効率的にロール製品を収容することができる。
【００１５】
また、基部と扉部の間のヒンジ部を、ケース内にロール製品が収容される際に芯体が占める位置より下方に設ければ、芯体部分を支持するためのシャフト等の支持部材が基部に当接することがないので好都合である。
【００１６】
底面板と端面板の間、及び底面板と周面板の間を外開き可能なヒンジ部とすれば、不使用時には端面板及び周面板を倒して平板状とすることにより、コンパクトに積み重ねることができるので、保管や運搬効率が向上する。
【００１７】
扉部の開放を防ぐための押さえ部を周面板に設ければ、扉部の不用意な開放を防止できるとともに、扉部及び押さえ部をケースの端面側から操作できるので、取り扱いやすくなる。
この押さえ部は、対向する周面板の両方に設けて、扉部の外側で接離可能とすれば、押さえ部同士を接合させるだけで扉部を外側から覆うので、扉部が不用意に開こうとするのを防ぐことができる。また、蓋体の構造によっては（例えば後述の図６に示した蓋体において、端面板側の垂下部５ｂを設けない構造としたり、端面板側の垂下部５ｂを内嵌め式とした構造等）、蓋体を開けることなく扉部及び押さえ部を開けることによりロール製品の収納したり、取り出すことも可能である。また、押さえ部を分離させて観音開き状に開くことにより扉部を開放できるので、収納後にケースの蓋体を開けることなく、ロール製品をチェックしたり、ロール製品を取り替えたりすることもできる。
【００１８】
端面板の基部に、周面板と接合するための舌片を設けると、簡単な構成で周面板を起立状態に支えケースの形状を維持することができる。従って、ロール製品を収納し易く、また、ロール製品を収納した後、扉部を引き起こし、押さえ部が設けられている場合には、この押さえ部を接合すればよいのでケースの組み立ても容易である。
【００１９】
また、押さえ部が周面板側に設けられている場合は、舌片と押さえ部の位置が異なるので、ケースの組み立ての際、舌片及び押さえ部の位置が少々ずれた場合でも舌片と押さえ部が干渉（重なり合う）することがなく、押さえ部の開閉に支障が生じることがない。
【図面の簡単な説明】
【００２０】
【図１】図１は本発明のロール製品用ケースの一例を示す斜視図である。
【図２】図２は図１のロール製品用ケースの押さえ部を開放した状態を示す斜視図である。
【図３】図３は本発明のロール製品用ケースにロール製品を収容する方法の一例を示す断面図である。
【図４】図４は図１のロール製品用ケースの展開図である。
【図５】図５は別例のロール製品用ケースの展開図である。
【図６】図６は蓋体を被着したロール製品用ケースを示す斜視図である。
【図７】図７は図６に示した蓋体の展開図である。
【発明を実施するための形態】
【００２１】
本発明のロール製品用ケースは、芯体に巻回された長尺物からなるロール製品を収納するためのものであり、代表例を図１に示したが、底面板２と該底面板２から立設される周面板４及び端面板３からなり、端面板３は基部３ａと扉部３ｃからなるとともに、図２に示したように、基部３ａと扉部３ｃの間には当該扉部３ｃを外側に開放可能なヒンジ部３ｄが設けられていることを特徴とする。
【００２２】
本発明のロール製品用ケース１は、図１に示すように、底面板２とこの底面板２から立設される周面板４及び端面板３からなる略直方体状の容器であり、必要に応じて、図６に示すように、当該ロール製品用ケースと一体又は別体に蓋（図６では別体）が設けられる。
【００２３】
本発明のロール製品用ケース１は、端面板３が基部３ａと扉部３ｃからなり、基部３ａと扉部３ｃの間にヒンジ部３ｄが設けられていることを特徴とし、図３に示すように、クレーン等７を用いてロール製品６をケース１内に収容する際に、前記扉部３ｃが外側に開くことにより、支持部材７ａ等と端面板３との当接が防止される。また、扉部３ｃが開いている状態でも、基部３ａは周面板４と接合されたままなので周面板４が倒れることはなく起立状態を保ち、ケースの形状が維持されている。従って、ロール製品の収納がし易く、且つ収納後のケースの組み立ても容易である。
【００２４】
本発明において、ヒンジ部３ｄの構造は、扉部３ｃを外側に開くことができる限り特に限定されず、蝶番を用いたり、当該部分に折り曲げ用の溝を刻設したり、折り癖を付ける等の周知の構造が全て利用できる。
ヒンジ部３ｄの位置は特に限定されないが、支持部材７ａは芯体６ｂの端部に取り付けられることが多いので、ケース１内にロール製品６が収容される際に芯体６ｂが占める位置より下方にヒンジ部３ｄを設ければ、支持部材７ａがケース１の端面部（押さえ部４ａ）に当接することがなく、ロール製品を効率的に収納できるので好都合である。
【００２５】
本発明においては、底面板２と端面板３（基部３ａ）の間、及び底面板２と周面板４の間を外開き可能なヒンジ部２ａとしてもよい。このようにすれば、空のケース１を保管したり運搬する際、端面板の基部３ａ及び周面板４を外側に倒すことにより、図４に示したように、ケース１を一枚の平板状にすることができ、コンパクトに積み重ねることができるので嵩張ることがなく、保管や運搬効率が向上する。なお、図４は図１及び図２に示したロール製品用ケース１の展開図である。
ヒンジ部２ａの具体的な構造は周知のものでよく、上記した基部３ａと扉部３ｃの間のヒンジ部３ｄと同様、蝶番を用いたり、当該部分に折り曲げ用の溝を刻設したり、折り癖を付ける等の構造が全て利用できる。
また、図４に示したように、ケース１の補強の目的及び端面板３及び周面板４が内側に倒れるのを防止するため、周面板４の短辺側端縁に四角柱状の補強材４ｂを設けることもできる。
或いは、図５に示したように、ケース１の補強の目的で、底面板２及び／又は周面板４には補強板２ｂ、４ｃを貼着することもできる。なお、図５においては把持部４ｄが設けられているため、補強板４ｃは把持部４ｄの部分を避けて貼着されているが、周面板４の全面に補強板４ｃを貼着してもよい。
【００２６】
図４に示されているような、平板状に展開されたロール製品用ケース１を容器状に組み立てるには、まず、端面板３の基部３ａ及び周面板４を垂直に起こし、基部３ａと周面板４を接合し、次に扉部３ｃを立てて周面板４と接合する。さらに、必要に応じて、後述するように、上面に蓋体を被着してもよい。
【００２７】
基部３ａと周面板４を接合する方法は特に限定されないが、基部３ａ及び周面板４の接線付近に凹凸嵌合構造を設けて組み合わせる方法や、基部３ａ及び周面板４のいずれか一方（図中では基部３ａ）に舌片３ｂを設けると共に、この舌片３ｂと他方との間に面接合ファスナーを設ける方法が例示できる。なお、一度組み立てたケース１を平板状に戻す必要がない場合は、接着剤等を用いて凹凸嵌合構造や舌片を固定してもよい。
【００２８】
扉部３ｃと周面板４を接合する方法も特に限定されず、例えば、基部３ａと周面板４の接合と同様、凹凸嵌合構造や舌片及び面接合ファスナーを用いる方法でもよいが、扉部３ｃを開いてロール製品を出し入れしたり、ロール製品をチェックしたりするために、できるだけ接合分離の容易な方法が好ましい。
扉部３ｃと周面板４との接合分離が容易な方法としては、いずれかの周面板４に押さえ部４ａを片開き状に延設し、この押さえ部４ａに設けた係合手段と扉部３ｃ又は対向する周面板４に設けた係合手段とを係合させ扉部３ｃの不用意な開放を防ぐ方法が例示できる。係合手段としては、面接合ファスナー、釦、凹凸嵌合等が例示される。
【００２９】
扉部３ｃと周面板４との接合分離可能のさらに好ましい方法としては、図１、図２に示すように、対向する周面板４の両方に押さえ部４ａを延設し、この２枚の押さえ部４ａが会合する端部を扉部３ｃの前で接離可能とする方法が例示できる。この方法では、両方の押さえ部４ａを扉部３ｃを覆うように移動させ、この押さえ部４ａの縁部同士を接合させることにより扉部３ｃを外側から押さえ込んで扉部３ｃを周面板４と接合させ扉部３ｃを開放不能にすることができる。一方、この押さえ部４ａの縁部を分離させて押さえ部４ａを観音開き状に開くことにより、扉部３ｃを周面板４と分離させて簡単に開放可能とすることができる。
押さえ部４ａを接離可能とする構造については特に限定されず、例えば、釦や面接合ファスナー等を用いて接合してもよいが、両押さえ部４ａ、４ａの端縁部分を係合可能な形状とする方法が好ましい。この方法であれば、別途係合用の面倒な立体的な加工や構造が不要であり、一枚の平板状の材料を所定の形状に切断加工するだけでよい。係合可能な形状としては、図１及び図２に示した蟻継ぎ状のような、付け根部分で狭く先端で太い舌片及びこの舌片を収容するための同じ形状の切欠きの組み合わせが例示できる。
【００３０】
また、扉部３ｃと周面板４の他の接合方法としては、後述する蓋体５の垂下部５ｂ（端面板側の）により扉部３ｃを外側から押さえ込んで扉部３ｃを開放しないようにすることも可能である。
【００３１】
周面板４に押さえ部４ａを設け、且つ周面板４と基部３ａを接合用の舌片３ｂを用いて接合する場合は、舌片３ｂは周面板４側ではなく基部３ａ側に設けるほうが好ましい。押さえ部４ａと舌片３ｂの両方を周面板４に設けると、舌片３ｂの接合位置がずれると押さえ部４ａが舌片３ｂと干渉（一部重複）してしまい、扉部３ｃを適切に押さえることが困難になることがあるのに対し、舌片３ｂを基部３ａ側に設けると、例え舌片３ｂの接合位置がずれた場合であっても押さえ部４ａと舌片３ｂとが干渉することはありえないからである。
【００３２】
本発明のロール製品用ケース１には、必要に応じ、ロール製品を収容した当該ケース１を持ち上げるための把持部３ｅを設けることができる。把持部３ｅの構造は手指を使ってロール製品用ケース１を把持できる構造であれば特に限定されないが、図１及び図２に示した例では手指が挿入できる程度の大きさの孔を穿設し、この孔を把持部３ｅとしている。
把持部３ｅの位置もロール製品用ケース１を持ち上げることが可能な位置であれば特に限定されないが、図１及び図２に示した例では、端面板３の上方の位置に把持部３ｅが設けられ、ロール製品用ケース１の両端の把持部３ｅを持つことによりロール製品用ケースを持ち上げることができるようになっている。図５に示した例では、さらに周面板４の短辺側にも把持部４ｄが設けられており、ロール製品用ケース１の端部を両手で持ち上げ、二人がかりで運び易くなるように構成されている。
【００３３】
本発明のロール製品用ケース１には、図６に示すように、必要に応じ、蓋体５を設けることもできる。蓋体５はケース１本体と一体的に設けられていてもよく、また別体としてもよいが、組み立て易さや管理しやすさを考慮すれば、別体としたほうが好ましい。
別体とする場合、蓋体５の形状はケース１本体の上面を覆うことができる限り特に限定されないが、図６に示したような、底面板２と略同じ形状及び大きさの天板５ａ、及びこの天板５ａの端縁から垂延された垂下部５ｂからなるものが例示できる。なお、天板５ａ及び垂下部５ｂからなる蓋体５をケース１に被着する際、垂下部５ｂ（端面部側の）で押さえ部４ａを覆うようにすれば、押さえ部４ａが不用意に外れて扉部３ｃが開く恐れが一層なくなり、云わば扉部３ｃの開放が押さえ部４ａと蓋体５の垂下部５ｂとにより二重に防止されるので好ましい。
【００３４】
ケース１とは別体に構成された蓋体５を設ける場合、蓋体５にはケース１本体から容易に外れないようにするため、係止手段５ｃを設けることもできる。係止手段５ｃの具体的な構成はケース１本体に蓋体５を係止できる限り特に限定されない。図６に示した例では、長辺側の垂下部５ｂに舌片状の係止手段５ｃを設け、この舌片状係止手段５ｃと周面板４の間に面接合ファスナー（図示せず）を設けて係止されている。勿論、短辺側（端面部側）に係止手段５ｃを設けてもよく、更に、長辺側、短辺側（端面部側）の両方に設けてもよい。
【００３５】
本発明のロール製品用ケース１に被覆する蓋体５は、図７に示したように、一枚のシート状に展開可能とすることもできる。即ち、図４に示したケース１本体の展開図と同様、天板５ａと垂下部５ｂの間にヒンジ部を設ければよい。
【００３６】
本発明のロール製品用ケース及び蓋体の材料は特に限定されないが、段ボール紙やカートン紙、２枚の樹脂製薄板の間に多数の補強リブを介設した中空板、プラスチックダンボール等が挙げられる。また、他の材料としては成形がしやすく、軽量である点で樹脂が挙げられ、例えば、例えば、ＡＢＳ樹脂（アクリロニトリル−ブタジエン- スチレン共重合樹脂）、ＡＡＳ樹脂（アクリロニトリル／アクリルゴム／スチレン樹脂）、ＡＥＳ樹脂（アクリロニトリル／エチレンプロピレンゴム／スチレン樹脂）、ＡＳ樹脂（アクリロニトリル／スチレン樹脂）、ＰＳ樹脂（ポリスチレン樹脂）、ＰＭＭＡ樹脂（ポリメチルメタクリレート樹脂）、ＰＶＣ樹脂（ポリ塩化ビニリデン樹脂）、ＭＳ樹脂（メチルメタクリレート／スチレン樹脂）、ＰＰ樹脂（ポリプロピレン樹脂）、ＰＥ樹脂（ポリエチレン樹脂）、ＰＢＴ樹脂（ポリブチレンテレフタレート樹脂）およびＰＣ樹脂（ポリカーボネート樹脂）等が使用可能である。更に、ポリ乳酸樹脂、ポリブチレンサクシネート、ポリアミド１１、ポリヒドロキシ酪酸等の生分解性プラスチック、バイオマスプラスチック等も使用可能である。生分解性プラスチックを用いた場合は、化石資源の使用を減少させ、特に、バイオマスプラスチックは植物由来の素材からなるので焼却処分しても植物が固定したＣＯ2 が排出されるだけであるので、ＣＯ2 排出量が増えないカーボンニュートラルが達成され、環境に優しく地球温暖化防止に寄与する利点がある。
【産業上の利用可能性】
【００３７】
上記したとおり、本発明のロール製品用ケースは、端面板が基部と扉部からなるとともに、当該基部と扉部の間には当該扉部を外側に開放可能なヒンジ部が設けられているので、基部が周面板を起立状態に保つことによりケースの状態を維持するのでロール製品の収納が容易で、また、収納後の組み立ても容易である。
また、ロール製品に支持部材を取り付けてクレーン等を用いて当該ロール製品を出し入れする際に端面板と支持部材が当接することがないので作業性が良好であり、また、ロール製品よりも大き目のケースを用いる必要がないのでロール製品を効率的に収納することができる。
更に、ケース内にロール製品を収納した後、蓋体を開けることなく、扉部（押さえ部を設けた場合は押さえ部も）を開けることによりロール製品を簡単に収納したり取り出したりすることも可能であり、更にまた、ロール製品を収納した後、蓋体を開けることなく、ロール製品をチェックしたり、取り替えたりすることも可能である。
【符号の説明】
【００３８】
１  ロール製品用ケース
２  底面板
２ａ  ヒンジ部
２ｂ  補強板
３  端面板
３ａ  基部
３ｂ  舌片
３ｃ  扉部
３ｄ  ヒンジ部
３ｅ  把持部
４  周面板
４ａ  押さえ部
４ｂ  補強材
４ｃ  補強板
４ｄ  把持部
５  蓋体
５ａ  天板
５ｂ  垂下部
５ｃ  係止手段
６  ロール製品
６ａ  長尺物
６ｂ  芯体
７  クレーン等
７ａ  支持部材
【図１】
0005864225.tif 000002
【図２】
0005864225.tif 000003
【図３】
0005864225.tif 000004
【図４】
0005864225.tif 000005
【図５】
0005864225.tif 000006
【図６】
0005864225.tif 000007
【図７】
0005864225.tif 000008